(57)【要約】【課題】配線コードを整然と収容すると共に小型化を図る。【解決手段】円筒状のドラム１１は、ケース体１に対して回転可能に設けられた第１回転プレート１０とスピーカ枠体４が固定的に設けられた第２回転プレート１２との間に配設され、第１回転プレート１０、ドラム１１、第２回転プレート１２及びスピーカ枠体４は、ドラム１１の軸線ＡＸを中心として同心で一緒に回転することで、配線コード８がドラム１１に巻装される。スピーカ枠体４には、連結部５を介して把持部６が一体に形成され、把持部６を把持して操作することで、スピーカ枠体４を介してドラム１１が容易に任意位置に回転する。スピーカ部２０はスピーカ枠体４内に配設され、ドラム１１と共に回転する。マイク部２１は把持部６内に配設される。【選択図】　　図４
2004080586.tif 000002
【特許請求の範囲】
【請求項１】
スピーカ部と、配線コードと、使用者の頭部に装着するための装着手段とを有し、音声信号発生装置に前記配線コードを介して接続することで、前記音声信号発生装置からの音声信号を音声に変換する受話装置であって、
軸線を中心に回転することで前記配線コードが巻き付けられる巻き取り部を有し、
前記巻き取り部は、その前記軸線が前記スピーカ部の略中央を通るように配設されたことを特徴とする受話装置。
【請求項２】
前記スピーカ部は、前記巻き取り部に対して略同心に配設され、前記巻き取り部と共に回転するように前記巻き取り部に対して固定的に連結されたことを特徴とする請求項１記載の受話装置。
【請求項３】
前記巻き取り部に対して固定的に設けられ前記巻き取り部を回転させるための把持部と、前記把持部に配設され前記使用者の声を音声信号として入力するためのマイク部とを有することを特徴とする請求項１または２記載の受話装置。
【発明の詳細な説明】
【０００１】
【発明の属する技術の分野】
本発明は、携帯電話等の音声信号発生装置に接続して音声を聞くためのヘッドホン等の受話装置に関する。
【０００２】
【従来の技術】
従来、カラオケ装置や携帯電話等の音声信号発生装置に接続して音声を聞くためのヘッドホン等の比較的小型の受話装置が知られている。この受話装置は、例えば、イヤホンのようなスピーカ部やプラグ付きの配線コードを備え、スピーカ部が使用者の耳に近接乃至挿入されるように頭部に装着され、音声信号発生装置の音声出力端子にプラグを差し込んで、配線コードを通じて音声信号を入力することで、該音声信号が音声に変換されスピーカ部から発音がなされるようになっている。
【０００３】
また、受話装置が携帯に用いられる場合のように、使用しないときは長い配線コードが邪魔になるため、例えば、コードリール収容部を設ける、あるいはコードリール収容箱を別途設ける等して、それらに配線コードを収容するようにしているものもある。
【０００４】
【発明が解決しようとする課題】
しかしながら、上記従来の受話装置では、収容箱を別途設けたり、配線コードを収容するためのスペースを別途確保したりしなければならないため、大型化して装置の携帯性も悪化するという問題があった。
【０００５】
本発明は上記従来技術の問題を解決するためになされたものであり、その目的は、配線コードを整然と収容すると共に、小型化を図ることができる受話装置を提供することにある。
【０００６】
【課題を解決するための手段】
上記目的を達成するために本発明の請求項１の受話装置は、スピーカ部と、配線コードと、使用者の頭部に装着するための装着手段とを有し、音声信号発生装置に前記配線コードを介して接続することで、前記音声信号発生装置からの音声信号を音声に変換する受話装置であって、軸線を中心に回転することで前記配線コードが巻き付けられる巻き取り部を有し、前記巻き取り部は、その前記軸線が前記スピーカ部の略中央を通るように配設されたことを特徴とする。
【０００７】
この構成によれば、巻き取り部が軸線を中心に回転することで配線コードが巻き付けられるので、配線コードが邪魔にならず、また、巻き取り部は、その軸線がスピーカ部の略中央を通るので、配線コード巻き取りのためだけにスペースを別途設ける必要がなく、省スペースが図られる。よって、配線コードを整然と収容すると共に、小型化を図ることができる。
【０００８】
【発明の実施の形態】
以下、本発明の実施の形態を図面を参照して説明する。
【０００９】
図１は、本発明の一実施の形態に係る受話装置の外観図である。本装置は、カラオケ装置や携帯電話等の音声信号を発生する装置に接続して音声を聞くことができるヘッドホン装置として構成される。本装置には、スピーカ部２０、マイク部２１、配線コード８を備えられるほか、スピーカ部２０が使用者の耳に当接するように本装置を頭部に装着するための装着手段としてアーム２が備えられる。アーム２は収納式になっており、同図では、アーム２を延ばした状態が示されている。
【００１０】
図２は、本装置の背面図である。本装置は、左耳用に適するように構成され、同図では、使用時において使用者の背面側となる方向からみた状態が示されている。以降、ケース体１の、使用時に下側となる面を下側面１ａ、使用者の耳側となる面を内側面１ｂと呼称する。
【００１１】
アーム２は、第１アーム２Ａ、第２アーム２Ｂ、第３アーム２Ｃで構成され、延べ竿をＵ字状にした場合のように、３段階にスライドして伸縮自在になっており、非使用時はケース体１のアーム収容部１７に収容可能になっている。第３アーム２Ｃの先端にはアームヘッド３が取り付けられている。使用時には、アーム２を延ばし、ケース体１を左耳に、アームヘッド３を右側頭部に当てて、本装置を頭部に装着する。
【００１２】
なお、アーム２の分割数は３段階に限定されず、また、各アーム片のサイズも例示したものに限定されない。例えば、本装置の携帯時に小型化するため、及びユーザの頭部サイズに合わせてしっくりとした装着を容易にするため、分割数や各アーム片を任意に変更してもよい。
【００１３】
図３は、本装置をアーム２の収納状態で内側面１ｂ側からみた図であり、一部を切り欠いて示している。図４は、本装置を使用時でいう正面側からみた図であり、一部を切り欠いて示している。図４に示すように、アームヘッド３は第３アーム２Ｃに対して回動可能に取り付けられ、同図に示す（Ｐ０）から（Ｐ１）まで回動する。
【００１４】
図３に示すように、ケース体１の長手方向に沿ってリブ１３、１４が設けられ、これらによってペン収容部１５が形成される。ペン収容部１５には、鉛筆等の筆記具７が収容され、筆記具７が常時携帯されることで、受話中にメモをとる際等に便利である。なお、ペン収容部１５は複数設けてもよい。また、筆記具７を保持できる構成であれば、例えば、保持用爪のような別構成も採用可能である。
【００１５】
図１、図３に示すように、ケース体１の下側面１ａにはコード引き出し用の開口部１ａ１が設けられる。配線コード８を開口部１ａ１から引き出し、配線コード８の先端に設けられたプラグ部９を、例えば、携帯電話等の出力端子に差し込むことで、携帯電話からの音声信号を音声に変換してスピーカ部２０で相手の声を聞くと共に、マイク部２１から使用者の声を音声信号として入力し、相手と相互通話が行える。
【００１６】
図４に示すように、配線コード８は、円筒状のドラム１１に巻装可能になっている。ドラム１１は、円盤状の第１、第２回転プレート１０、１２間に配設され、第１、第２回転プレート１０、１２に対して固定される。第１回転プレート１０は、ケース体１の内部に固設されたベース１６に対して回転可能に設けられ、第２回転プレート１２には、スピーカ枠体４が固定的に設けられる。従って、第１回転プレート１０、ドラム１１、第２回転プレート１２及びスピーカ枠体４は、ドラム１１の軸線ＡＸを中心として同心で一緒に回転する。
【００１７】
また、スピーカ枠体４には、連結部５を介して把持部６が一体に形成されている（図１〜図４参照）。従って、使用者は、把持部６を把持して操作することで、スピーカ枠体４を介してドラム１１を容易に任意の位置に回転させることができる。スピーカ部２０はスピーカ枠体４内に配設され、ドラム１１と共に回転する。マイク部２１は把持部６内に配設されている。
【００１８】
ドラム１１には、配線コード８を接続するために開口したコード接続部１１ａが設けられる。配線コード８は、スピーカ用コード８Ａ及びマイク用コード８Ｂから成り、コード接続部１１ａを介してスピーカ用コード８Ａがスピーカ部２０に接続されている。また、連結部５の内部にはマイク用コード８Ｂが通り、マイク用コード８Ｂは、コード接続部１１ａからマイク部２１に繋がっている。
【００１９】
図４では、配線コード８が引き出された状態が示されているが、ドラム１１が、例えば図３の時計方向に複数回回転すると、図３に示すように、ドラム１１に配線コード８が巻き付いてケース体１内に収容される。なお、プラグ部９は、配線コード８に対して直角方向に挿入プラグが延びた横型形状をしており、しかも開口部１ａ１はプラグ部９より小さく形成され、プラグ部９が開口部１ａ１を貫通できないようになっている。従って、配線コード８をドラム１１に巻き付けていくとプラグ部９が開口部１ａ１で止まり、巻き付けが終了するので、配線コード８が巻き込まれ過ぎてケース体１内から取り出せなくなることが防止される。また、開口部１ａ１が必要以上に大きくないので、ケース体１内にゴミが入ったり、ドラム１１が物体に触れて傷ついたりすることも少なく、内部がみえないことから見栄えもよい。
【００２０】
図５（ａ）は、把持部６の回転範囲を示す図である。図５（ｂ）は、同図（ａ）のＡ−Ａ線に沿う端面図である。
【００２１】
図５（ａ）に示すように、把持部６は円Ｒ０の範囲内で３６０°回転可能である。ケース体１の内側面１ｂには、図１、図５（ａ）に示すように、仮止め用突起部１ｂ１〜１ｂ３がケース体１と一体に形成される。一方、図５（ｂ）に示すように、連結部５のケース体１に対向する面には、仮止め用突起部１ｂ１〜１ｂ３に対応する凹部５ａが形成される。把持部６を回転させていき、連結部５の凹部５ａに把持部６の仮止め用突起部１ｂ１〜１ｂ３のいずれかが係合すると、把持部６が仮止め状態となって、適切な位置決めが容易になされると共に、配線コード８のゆるみ防止にもなる。特に、仮止め用突起部１ｂ１または仮止め用突起部１ｂ３は使用時、仮止め用突起部１ｂ２は非使用時（携帯時等）にそれぞれ適した位置に設けられている。また、図５（ａ）に示すように、仮止め用突起部１ｂ２による仮止め時には、把持部６が内側面１ｂ側からみてケース体１からはみ出さないので、携帯するのに好都合である。
【００２２】
本実施の形態によれば、第１回転プレート１０、ドラム１１、第２回転プレート１２及びスピーカ枠体４が軸線ＡＸを中心として同心で回転することで、ドラム１１に配線コード８が巻き取られるようにしたので、非使用時には配線コードが整然とケース体１に収容されて邪魔にならず、また、スピーカ部２０がドラム１１に対して同心で連結状態とされる構造となっていることから、配線コード８の巻き取りのためだけにスペースを別途設ける必要がないので、省スペースが図られ、装置の小型化を図ることができる。特に、スピーカ部２０がドラム１１と共に回転しないように構成した場合に比し、配線コード８のねじれが生じにくく、配線コード８がより整然とコンパクトに収容され、断線もしにくい。それだけでなく、配線コード８とスピーカ部２０とを電気的に接続するための基板やブラシが不要となり、より小型化に資すると共に、ドラム１１の形状も簡単で済む。
【００２３】
また、マイク部２１を把持部６内に設けることで、ドラム１１を回転させるためのハンドルとなる部分が音声入力機能部を兼ねるようにしたので、マイク部２１専用のアームを設ける等の必要がなく、部品点数が削減され構成が簡単で小型化に資する。また、マイク部２１が任意の位置に回転するので使用時や持ち運び時等、状況に応じてマイク部２１を適切な位置に容易に位置させることができ、使い勝手がよい。さらには、把持部６は連結部５を介してスピーカ枠体４に連結され、連結部５の内部にマイク用コード８Ｂを通したので、マイク用コード８Ｂについてもねじれが生じにくい構造となっている。
【００２４】
また、アーム２を伸縮自在の収納式に構成したので、短時間の使用時や非使用時には収納して持ちやすくすると共に、長時間使用時には延ばして使うことで両手を開放することができる。さらに、配線コード８を巻き取るドラム１１等の構成部分がケース体１に覆われているので、ドラム１１に巻かれた配線コード８間にゴミが入りにくく、配線コード８も傷つきにくく、さらにはすっきりして見栄えがよい。
【００２５】
なお、本実施の形態では、仮止め用突起部を３個設け、把持部６を３箇所で仮止め可能に構成したが、仮止め用突起部を設ける個数及び配設位置は例示したものに限定されない。また、把持部６の回転に適当な摩擦力が付与されるように構成する等により、仮止め用突起部を設ける代わりに任意の回転位置で把持部６を安定的に仮止め可能に構成してもよい。
【００２６】
なお、本装置を携帯電話等に接続して使用した場合には、配線コード８がアンテナとなって電磁波を使用者の頭部に運んでしまうおそれがある。そこで、配線コード８の根本にフェライトコアを設けて電磁波をカットするのが望ましい。例えば、ドラム１１にドーナツ状のフェライトコアをはめ込み、このフェライトコアに、コード接続部１１ａからドラム１１の外部に出ている配線コード８を複数回巻いてから、さらにその先の配線コード８の部分については上述したようにドラム１１に巻かれるようにしてもよい。
【００２７】
なお、ケース体１に、マイナスイオンを発生させる鉱石を設けてもよい。例えば、ケース体１を樹脂で構成し、耳に近接する内側面１ｂに、上記鉱石をアウトサート成形等により配設することで、抗菌力の保持等が期待される。
【００２８】
なお、スピーカ部２０、マイク部２１の形状は、例示したものに限定されない。また、装置の頭部装着方式も、アーム２による方式に限定されず、スピーカ部２０が耳に近接、当接、乃至挿入される状態を安定的に維持できればよい。従って、スピーカ部２０は挿入型のイヤホンタイプや耳掛け型でもよく、頭部装着方式に応じた構成を適宜採用すればよい。
【００２９】
なお、本装置を接続する音声信号発生装置は、カラオケ装置や携帯電話に限らず、出力端子を有する装置に広く適用可能である。
【００３０】
【発明の効果】
以上説明したように、本発明によれば、配線コードを整然と収容すると共に、小型化を図ることができる。
【図面の簡単な説明】
【図１】本発明の一実施の形態に係る受話装置の外観図である。
【図２】本装置の背面図である。
【図３】本装置をアームの収納状態で一部を切り欠いて側面側からみた図である。
【図４】本装置を一部を切り欠いて使用時でいう正面側からみた図である。
【図５】把持部の回転範囲を示す図（同図（ａ））及び同図（ａ）のＡ−Ａ線に沿う端面図（同図（ｂ））である。
【符号の説明】
１　ケース体、　２　アーム（装着手段）、　４　スピーカ枠体、　５　連結部、　６　把持部、　８　配線コード、　９　プラグ部、　１１　ドラム（巻き取り部）、　２０　スピーカ部、　２１　マイク部、　ＡＸ　軸線
【図１】
2004080586.tif 000003
【図２】
2004080586.tif 000004
【図３】
2004080586.tif 000005
【図４】
2004080586.tif 000006
【図５】
2004080586.tif 000007